(57)【要約】【課題】マシニングセンタによる加工でも設備を増設することなく、回転工具及びワークを夫々回転させ、且つ、夫々回転方向を制御することで良好な加工面を得ることができるワークの端面切削加工方法を提供する。【解決手段】直交３軸とワークを載置したテーブルを一定の回転速度αで回転させる回転１軸と、ワークを一定の回転速度βで回転しながら切削する丸駒インサートと、直交３軸を駆動制御する数値制御装置を備えたマシニングセンタを用い、直交３軸の移動方向に応じて、アップカットとなるように丸駒インサートの回転方向を制御し、ワーク軸線回りに回転中のワークと丸駒インサート軸線回りに回転中の丸駒インサートの一方を他方に押し付けながらワーク径方向に移動することによりワークの端面を切削加工する。【選択図】図１
2019072809.tif 000002
【特許請求の範囲】
【請求項１】
直交３軸とワークを載置したテーブルを一定の回転速度αで回転させる回転１軸と、
前記ワークを一定の回転速度βで回転しながら切削する丸駒インサートと、
前記直交３軸を駆動制御する数値制御装置を備えたマシニングセンタを用い、
前記直交３軸の移動方向に応じて、アップカットとなるように前記丸駒インサートの回転方向を制御し、
ワーク軸線回りに回転中のワークと丸駒インサート軸線回りに回転中の丸駒インサートの一方を他方に押し付けながらワーク径方向に移動することにより前記ワークの端面を切削加工することを特徴とするワーク端面の切削加工方法。
【請求項２】
請求項１に記載のワーク端面の切削加工方法において、
前記ワークの回転方向が前記丸駒インサートの切削端面に向けて回転することを特徴とするワーク端面の切削加工方法。
【請求項３】
請求項１に記載のワーク端面の切削加工方法において、
ワークの外周から中心方向、または、中心から外周方向に切削することを特徴とするワーク端面の切削加工方法。
【請求項４】
請求項１に記載のワーク端面の切削加工方法において、
前記回転1軸は、該軸線と前記丸駒インサートの軸線とが垂直になるように配置されていることを特徴とするワーク端面の切削加工方法。
【請求項５】
請求項１に記載のワーク端面の切削加工方法において、
前記丸駒インサートは、当該軸線上に一体回転可能なシャンク部を有しており、丸駒インサート径Ｄとシャンク部径ｄがＤ＞ｄであることを特徴とするワーク端面の切削加工方法。
【発明の詳細な説明】
【技術分野】
【０００１】
本発明は、マシニングセンタで軸線回りに回転する工作物（以下、ワークという）を軸線回りに回転する回転工具により切削が行われるワークの端面切削加工方法に関する。
【背景技術】
【０００２】
昨今では、複合加工機（５軸加工機含む）による加工が普及しつつも、一般的なワークの加工工程として、未だに旋盤等を用いて、ワークの荒加工工程、仕上げ加工工程が旋削によってなされ、その後、マシニングセンタ等に段取り替えされ、マシニングセンタ等による切削加工工程がなされている。このように、一つのワークを加工する上で、段取り替えは避け難いものであった。
【０００３】
このような加工工程の中で、マシニングセンタ等に搭載される回転テーブルは、取り付けられたワークを切削力に耐えうる回転速度で連続回転させる用途、および取り付けられたワークを任意の角度に割出して固定保持する用途などに使用されてきた。
【０００４】
一方で、特許文献１に記載の本出願人が発明した回転テーブルをマシニングセンタに用いれば、ワークを旋盤相当に高速で回転させることができるため、従来の旋盤による荒加工工程とマシニングセンタによる切削加工を集約でき、高価な複合加工機および旋盤等を購入しなくても、既存のマシニングセンタのみで、段取り替えすることなく、加工することが可能となる。
【０００５】
また、ＮＣ旋盤を用いてワークの端面切削を加工する場合は、軸線回りにワークを回転させながら、バイト（工具）を一定の速度で送ることで行っている。
このとき、ワークの回転数を一定にし、且つ、バイトの切削速度を一定にして切削するとワーク外周側と中心側では周速度が異なるため、その結果、仕上がりのワーク加工面が良好になり難い。
【０００６】
そのため、ＮＣプログラムによって、ワークの回転制御とバイトの送り速度制御を同期制御することで、周速度に応じて加工中の切削速度を変化させるといった周速一定制御がなされている。
【先行技術文献】
【特許文献】
【０００７】
【特許文献１】特開２０１５−１７４１８７号公報
【発明の概要】
【発明が解決しようとする課題】
【０００８】
しかしながら、特許文献１の回転テーブルとマシニングセンタの組合せでは、端面切削において、旋盤相当の良好な加工面を得ることは、実用的ではなかった。
というのも、一般的には、マシニングセンタの工具はエンドミルを使用しており、このエンドミルでワークを加工すると刃先の構成上、ワークから見たときに断続的に切削することとなり、良好な加工面を得ることができない。
【０００９】
そこで、周知技術の丸駒インサートを使用すれば、構成上、ワークから見たときに連続的に切削することが可能なので、エンドミルよりは良好な加工面を得ることができる。
しかしながら、丸駒インサートではエンドミルより良好な加工面を得ることができるものの加工条件によって、良好な加工面を得ることができなかった。
【００１０】
そこで、本発明の目的は、丸駒インサートを備えるマシニングセンタに搭載した回転テーブルを用いて、丸駒インサートと回転テーブルの夫々の回転速度を一定とし、回転方向を制御することでワーク加工面の精度を良好にするワークの仕上げ加工方法を提供することにある。
【課題を解決するための手段】
【００１１】
上記の課題を解決するために、本発明のワーク端面の切削加工方法は、直交３軸とワークを載置したテーブルを一定の回転速度αで回転させる回転１軸と、ワークを一定の回転速度βで回転しながら切削する丸駒インサートと、直交３軸を駆動制御する数値制御装置を備えたマシニングセンタを用い、直交３軸の移動方向に応じて、アップカットとなるように丸駒インサートの回転方向を制御し、ワーク軸線回りに回転中のワークと丸駒インサート軸線回りに回転中の丸駒インサートの一方を他方に押し付けながらワーク径方向に移動することによりワークの端面を切削加工することを特徴としている。
【００１２】
上記手順によれば、ワークの回転速度と丸駒インサートの回転速度を変えることなく、一定の回転速度とした状態で、良好な加工面を得ることができる。したがって、同期制御をする必要がなく、また、それによる周速一定制御をする必要もなく、マシニングセンタと該マシニングセンタに搭載したテーブルのみで良好な加工精度を得ることができるため、設備増設によるコストを削減することができる。
【００１３】
また、本発明のワーク端面の切削加工方法においては、ワークの回転方向が丸駒インサートの切削端面に向けて回転することが好ましい。上記手順によれば、詳細は後述するが工具のたわみを抑制することができる。
【００１４】
また、本発明のワーク端面の切削加工方法においては、ワークの外周から中心方向、または、中心から外周方向に切削することが好ましい。上記手順によれば、丸駒インサートにかかる荷重及び方向を一定にすることで工具のびびりやたわみを抑制することができる。
【００１５】
また、本発明のワーク端面の切削加工方法においては、回転１軸は、この軸線と丸駒インサートの軸線とが垂直になるように配置されていることが好ましい。上記手順によれば、複合加工機のように少なくとも一方のワーク及び丸駒インサートを夫々の回転軸に対して傾斜する必要がなく、簡単な構成で加工することができる。
【００１６】
さらに、本発明のワーク端面の切削加工方法においては、丸駒インサートは、当該軸線上に一体回転可能なシャンク部を有しており、丸駒インサート径Ｄとシャンク部径ｄがＤ＞ｄであることが好ましい。上記手順によれば、切削加工中にシャンク部がワーク端面と干渉することなく確実に良好な加工を実現できる。
【発明の効果】
【００１７】
本発明のワーク端面の切削加工方法によれば、マシニングセンタによる加工でも設備を増設することなく、回転工具及びワークを夫々回転させ、且つ、夫々回転方向を制御することで良好な加工面を得ることができる。
【図面の簡単な説明】
【００１８】
【図１】本発明の一実施形態によるワークの端面切削加工方法を説明するための模式斜視図である。
【図２】アップカットによる前記端面切削加工方法である。
【図３】アップカットによる前記端面切削加工方法である。
【図４】本実施例２の加工動作を示した動作図である。
【図５】表面粗さとワーク直径との関係を示したグラフである。
【図６】丸駒インサートの拡大図であり、（ａ）が正面図、（ｂ）が下面図を夫々示している。
【図７】アップカットと切り屑との関係を示した図である。
【発明を実施するための形態】
【００１９】
以下、本発明の実施形態を図面に基づいて詳細に説明する。ただし、本発明は、以下の実施形態に限定されるものではない。また、本発明の効果を奏する範囲を逸脱しない範囲で、適宜変更は可能である。尚、後掲する図１〜図４には、ｘ軸、ｙ軸及びｚ軸を示している。ｘ軸、ｙ軸及びｚ軸の向きは、異なる図であっても、互いに一致させている。本明細書における説明では便宜上、ｘ軸方向正側を「右」側、ｘ軸方向負側を「左」側、ｙ軸方向正側を「前」側、ｙ軸方向負側を「後」側、ｚ軸方向正側を「上」側、ｚ軸方向負側を「下」側としている。
【００２０】
図１は、本発明の一実施形態によるワークｗの端面切削加工方法を説明するための模式斜視図である。
図１に示すように、マシニングセンタ１００の基本構成は、テーブル台１０と工具主軸２０の組合せで直交３軸を有しており、それらの移動と工具主軸２０の回転などを制御する数値制御装置４０などで構成されている。
以下に、直交３軸の一例を示しながら構成を説明していく。
【００２１】
工具主軸２０は、テーブル台１０に対して一次元的に上下方向（ｚ軸方向）に移動可能となっており、一定の回転速度βで当該軸線Ａ回りに、矢印ａ１方向、または、ａ２方向に回転可能となっている。
この工具主軸２０の先端には、円柱状のシャンク部２１が工具主軸２０と回転一体に、且つ、工具主軸２０の軸線Ａとシャンク部２１の軸線が一致するように取り付けられている。
【００２２】
同様に、シャンク部２１の先端には、丸駒インサート２２が回転一体に、且つ、軸線Ａと丸駒インサート２２の軸線が一致するように取り付けられている。
【００２３】
（丸駒インサート）
丸駒インサート２２は、図６に示すように軸線Ａと直交する断面で見たとき円形をなしており、その先端面２２ａと側面２２ｂとの交差部が切れ刃２２ｃとなっている。
丸駒インサート２２の直径Ｄとシャンク部２１の直径ｄとの関係は、ワークの端面ｗ１を切削中にシャンク部が先にワークｗに干渉しないように、Ｄ＞ｄとなるようにしている。好ましくは、設定するワークｗの切り込み量に応じて、切り込み量＜（Ｄ−ｄ）／２となるように適宜決定するのが良い。尚、ワークｗの切り込み量は、加工に必要とされる量、丸駒インサートの許容量、工作機械の加工能力、または丸駒インサートの剛性等に応じて適宜決定されるものである。
【００２４】
テーブル台１０は、工具主軸２０に対して二次元的に前後方向（ｙ軸方向）及び左右方向（ｘ軸方向）に移動可能となっている。
このテーブル台１０には、回転１軸である回転テーブル３０がテーブル台１０と移動一体可能に搭載されている。
回転テーブル３０の搭載は、好ましくは、回転テーブル３０の軸線Ｂと、丸駒インサートの軸線Ａとが垂直になるように配置されるのが良い。
【００２５】
数値制御装置４０は、主に、工具主軸２０とテーブル台１０とで構成される直交３軸の移動方向を制御し、且つ、工具主軸２０の回転方向及び回転速度を制御している。
この数値制御装置４０によって、直交３軸の移動方向に応じて、後述のアップカットとなるように丸駒インサート２２の回転方向を制御することで、ワークの端面を切削加工している。これにより、良好な加工面を得ることが可能となっている。
【００２６】
（回転テーブル）
回転テーブル３０には、図示しないチャックが固定されており、この図示しないチャックを駆動させることで、ワークｗを把持している。
内部には、図示しないサーボモータが搭載されており、それによって、ワークを回転駆動可能にしている。
また、回転速度及び回転方向などを制御する制御装置５０が接続されている。
換言すると、制御装置５０によって回転テーブル３０を駆動させることで、一定の回転速度αでワークｗを回転テーブル３０の軸線Ｂ回りに、矢印ｂ１方向、または、ｂ２方向に回転可能となっている。
【００２７】
（実施例１）
本実施例１のワークｗの端面切削加工方法について、図２を用いて説明する。図２は、アップカットによる端面切削加工方法であり、所定の位置で回転可能、且つ、移動不能に停止している丸駒インサート２２にワークｗを移動させることでワークの端面ｗ１を切削する際の丸駒インサート２２の回転方向、ワークｗの回転方向、及びワークｗの移動方向の制御を示している。
【００２８】
図２（ａ）と図２（ｂ）は、ワークの外周から中心方向へ切削する際の丸駒インサート２２の回転方向と、ワークｗの回転方向及び移動方向を示している。
一方、図２（ｃ）と図２（ｄ）は、ワークの中心から外周方向へ切削する際の丸駒インサート２２の回転方向と、ワークｗの回転方向及び移動方向を示している。
【００２９】
まず、最初にアップカットの定義について、図２を用いて説明する。図２に示すように、丸駒インサート２２が軸線Ａ回りに矢印ａ１方向に回転しているときに、ワークが前側に移動（図２（ａ）、（ｃ））し、逆に、丸駒インサート２２が軸線Ａ回りに矢印ａ２方向に回転しているときに、ワークｗが後側に移動（図２（ｂ）、（ｄ））することで、丸駒インサート２２の刃が切削済の部分に当たり、削り上げながら加工することをアップカットと定義した。
【００３０】
図２（ａ）は、ワークｗが丸駒インサート２２にむけて移動することで、ワークｗの端面を外周から中心まで切削する図を示している。図２（ａ）に示すように、丸駒インサート２２の切削面は、ｚ軸に沿ってｙ軸と平行なワークｗの中心線に接する位置に移動した状態で移動不能に停止している。この状態でワークｗが丸駒インサート２２に向けて相対的に切削開始位置ｓ１まで移動する。ここでは、切削開始位置ｓ１は、ｙ軸に対してワークｗを丸駒インサート２２の後側近傍（ここで近傍は、ワークｗと丸駒インサート２２が接することのない丸駒インサート外周外のことをいう）に移動させている。また、ｘ軸に対して所定の切り込み量となる位置にワークｗを左方向に移動させている。
【００３１】
この切削開始位置ｓ１で、丸駒インサート２２を軸線Ａ回りに矢印ａ１方向に回転させ、ワークｗを軸線Ｂ回りに矢印ｂ１方向に回転させるとともに、ｙ軸と平行に前側に移動させている。
【００３２】
すなわち、ワークの端面ｗ１に丸駒インサート２２を押し付けながら、丸駒インサート２２をａ１方向に回転させ、ワークｗをｂ１方向に回転させつつワークｗを前側に移動させることで、ワーク外周からワーク中心に向けて端面切削が行われている。
【００３３】
図２（ｂ）は、ワークｗが丸駒インサート２２にむけて移動することで、ワークの端面ｗ１を外周から中心まで切削する図を示している。図２（ｂ）に示すように、丸駒インサート２２の切削面は、ｚ軸に沿ってｙ軸と平行なワークｗの中心線に接する位置に移動した状態で移動不能に停止している。この状態でワークｗが丸駒インサート２２に向けて相対的に切削開始位置ｓ２まで移動する。ここでは、切削開始位置ｓ２は、ｙ軸に対してワークｗを丸駒インサート２２の前側近傍に移動させている。また、ｘ軸に対して所定の切り込み量となる位置にワークｗを左方向に移動させている。
【００３４】
この切削開始位置ｓ２で、丸駒インサート２２を軸線Ａ回りに矢印ａ２方向に回転させ、ワークｗを軸線Ｂ回りに矢印ｂ２方向に回転させるとともに、ｙ軸と平行に後側に移動させている。
【００３５】
すなわち、ワークの端面ｗ１に丸駒インサート２２を押し付けながら、丸駒インサート２２をａ２方向に回転させ、ワークｗをｂ２方向に回転させつつワークｗを後側に移動させることで、ワーク外周からワーク中心に向けて端面切削が行われている。
【００３６】
図２（ｃ）は、ワークｗが丸駒インサート２２から離れる方向に移動することで、ワークの端面ｗ１を中心から外周まで切削する図を示している。図２（ｃ）に示すように、丸駒インサート２２の切削面は、ｚ軸に沿ってｙ軸と平行なワークｗの中心線に接する位置に移動した状態で移動不能に停止している。この状態でワークｗが丸駒インサート２２に向けて相対的に切削開始位置ｓ３まで移動する。ここでは、切削開始位置ｓ３は、ｙ軸に対してｚ軸方向のワークｗの中心線を丸駒インサート２２の軸線Ａと一致する位置に移動させている。また、ｘ軸に対して丸駒インサート２２の右側に一定の隙間を有するようにワークｗを移動させている。
【００３７】
この切削開始位置ｓ３で、丸駒インサート２２を軸線Ａ回りに矢印ａ１方向に回転させ、ワークｗを軸線Ｂ回りに矢印ｂ２方向に回転させるとともに、ｘ軸と平行に右側に所定の切り込み量となる位置に移動させる。そして、所定の切り込み量の位置に達したら、各回転方向を維持した状態で、ワークｗをｙ軸と平行に前側に移動させている。
【００３８】
すなわち、ワークの端面ｗ１に丸駒インサート２２を押し付けながら、丸駒インサート２２をａ１方向に回転させ、ワークｗをｂ２方向に回転させつつワークｗを前側に移動させることで、ワーク中心からワーク外周に向けて端面切削が行われている。
【００３９】
図２（ｄ）は、ワークｗが丸駒インサート２２から離れる方向に移動することで、ワークの端面ｗ１を中心から外周まで切削する図を示している。図２（ｄ）に示すように、丸駒インサート２２の切削面は、ｚ軸に沿ってｙ軸と平行なワークｗの中心線に接する位置に移動した状態で移動不能に停止している。この状態でワークｗが丸駒インサート２２に向けて相対的に切削開始位置ｓ３まで移動する。ここでは、切削開始位置ｓ３は、ｙ軸に対してｚ軸方向のワークｗの中心線を丸駒インサート２２の軸線Ａと一致する位置に移動させている。また、ｘ軸に対して丸駒インサート２２の右側に一定の隙間を有するようにワークｗを移動させている。
【００４０】
この切削開始位置ｓ３で、丸駒インサート２２を軸線Ａ回りに矢印ａ２方向に回転させ、ワークｗを軸線Ｂ回りに矢印ｂ１方向に回転させるとともに、ｘ軸と平行に右側に所定の切り込み量となる位置に移動させる。そして、所定の切り込み量の位置に達したら、各回転方向を維持した状態で、ワークｗをｙ軸と平行に後側に移動させている。
【００４１】
すなわち、ワークの端面ｗ１に丸駒インサート２２を押し付けながら、丸駒インサート２２をａ２方向に回転させ、ワークｗをｂ１方向に回転させつつワークｗを後側に移動させることで、ワーク中心からワーク外周に向けて端面切削が行われている。
【００４２】
（変形例１）
上記実施例１は、丸駒インサート２２を回転可能、且つ、移動不能に停止させた状態でワークｗを移動させることで端面切削を行う際の丸駒インサート２２の回転方向、ワークｗの回転方向、及びワークｗの移動方向の制御を説明したが、本変形例１は、図３に示すように、アップカットによる端面切削加工方法であり、ワークｗを移動させずに、丸駒インサート２２を移動させることで端面切削を行う際の丸駒インサート２２の回転方向、ワークｗの回転方向、及びワークｗの移動方向の制御を説明する。
【００４３】
図３（ａ）と図３（ｂ）は、ワークの外周から中心方向へ切削する際の丸駒インサート２２の回転方向及び移動方向と、ワークｗの回転方向を示している。
一方、図３（ｃ）と図３（ｄ）は、ワークの中心から外周方向へ切削する際の丸駒インサート２２の回転方向及び移動方向と、ワークｗの回転方向を示している。
【００４４】
図３（ａ）は、丸駒インサート２２がワークｗにむけて移動することで、ワークｗの端面を外周から中心まで切削する図を示している。図３（ａ）に示すように、切削開始位置ｓ４まで丸駒インサート２２を移動させる。ここでは、切削開始位置ｓ４は、ｘ軸に対して所定の切り込み量となる位置に右方向へ移動させ、ｙ軸に対してワークｗの前側近傍（ここで近傍は、ワークｗと丸駒インサート２２が接することのないワーク外周外のことをいう）に移動させ、且つ、ｚ軸に対して丸駒インサート２２の切削面をｙ軸と平行なワークｗの中心線に接する位置に移動させている。
【００４５】
この切削開始位置ｓ４で、ワークｗを軸線Ｂ回りに矢印ｂ１方向に回転させ、丸駒インサート２２を軸線Ａ回りに矢印ａ１方向に回転させるとともに、ｙ軸と平行に後側に移動させている。
【００４６】
すなわち、ワークの端面ｗ１に丸駒インサート２２を押し付けながら、ワークｗをｂ１方向に回転させ、丸駒インサート２２をａ１方向に回転させつつ後側に移動させることで、ワーク外周からワーク中心に向けて端面切削が行われている。  
【００４７】
図３（ｂ）は、丸駒インサート２２がワークｗにむけて移動することで、ワークの端面を外周から中心まで切削する図を示している。図３（ｂ）に示すように、切削開始位置ｓ５まで丸駒インサート２２を移動させる。ここでは、切削開始位置ｓ５は、ｘ軸に対して所定の切り込み量となる位置に右方向へ移動させ、ｙ軸に対してワークｗの後側近傍に移動させ、且つ、ｚ軸に対して丸駒インサート２２の切削面をｙ軸と平行なワークｗの中心線に接する位置に移動させている。
【００４８】
この切削開始位置ｓ５で、ワークｗを軸線Ｂ回りに矢印ｂ２方向に回転させ、丸駒インサート２２を軸線Ａ回りに矢印ａ２方向に回転させるとともに、ｙ軸と平行に前側に移動させている。
【００４９】
すなわち、ワークの端面ｗ１に丸駒インサート２２を押し付けながら、ワークｗをｂ２方向に回転させ、丸駒インサート２２をａ２方向に回転させつつ前側に移動させることで、ワーク外周からワーク中心に向けて端面切削が行われている。  
【００５０】
図３（ｃ）は、丸駒インサート２２がワークｗから離れる方向に移動することで、ワークｗの端面を中心から外周まで切削する図を示している。図３（ｃ）に示すように、切削開始位置ｓ６まで丸駒インサート２２を移動させる。ここでは、切削開始位置ｓ６は、ｘ軸に対して丸駒インサート２２の右側とワークｗとの間に一定の隙間を有するように移動させ、ｙ軸に対して丸駒インサート２２の軸線Ａをｚ軸方向のワークｗの中心線と一致する位置に移動させ、且つ、ｚ軸に対して丸駒インサート２２の切削面をｙ軸と平行なワークｗの中心線に接する位置に移動させている。
【００５１】
この切削開始位置ｓ６で、ワークｗを軸線Ｂ回りに矢印ｂ２方向に回転させ、丸駒インサート２２を軸線Ａ回りに矢印ａ１方向に回転させるとともに、ｘ軸と平行に右側に所定の切り込み量となる位置に移動させる。そして、所定の切り込み量の位置に達したら、各回転方向を維持した状態で、丸駒インサート２２をｙ軸と平行に後側に移動させている。
【００５２】
すなわち、ワークの端面ｗ１に丸駒インサート２２を押し付けながら、ワークｗをｂ２方向に回転させ、丸駒インサート２２をａ１方向に回転させつつ後側に移動させることで、ワーク中心からワーク外周に向けて端面切削が行われている。
【００５３】
図３（ｄ）は、丸駒インサート２２がワークｗから離れる方向に移動することで、ワークの端面ｗ１を中心から外周まで切削する図を示している。図３（ｄ）に示すように、切削開始位置ｓ６まで丸駒インサート２２を移動させる。ここでは、切削開始位置ｓ６は、ｘ軸に対して丸駒インサート２２の右側とワークｗとの間に一定の隙間を有するように移動させ、ｙ軸に対して丸駒インサート２２の軸線Ａをｚ軸方向のワークｗの中心線と一致する位置に移動させ、且つ、ｚ軸に対して丸駒インサート２２の切削面をｙ軸と平行なワークｗの中心線に接する位置に移動させている。
【００５４】
この切削開始位置ｓ６で、ワークｗを軸線Ｂ回りに矢印ｂ１方向に回転させ、丸駒インサート２２を軸線Ａ回りに矢印ａ２方向に回転させるとともに、ｘ軸と平行に右側に所定の切り込み量となる位置に移動させる。そして、所定の切り込み量の位置に達したら、各回転方向を維持した状態で、丸駒インサート２２をｙ軸と平行に前側に移動させている。
【００５５】
すなわち、ワークの端面ｗ１に丸駒インサート２２を押し付けながら、ワークｗをｂ１方向に回転させ、丸駒インサート２２をａ２方向に回転させつつ前側に移動させることで、ワーク中心からワーク外周に向けて端面切削が行われている。
【００５６】
（実施例２）
本発明者は、以下、加工装置、加工動作及び加工条件を用いて、円柱のワークと丸駒インサートの回転方向及び移動方向による切削（アップカット及びダウンカット）に対する表面粗さを評価した。
【００５７】
〈加工装置〉
加工装置は、市販の３軸マシニングセンタ（ヤマザキマザック（株）製のＶＥＲＴＩＣＡＬ  ＣＥＮＴＥＲ  ＮＥＸＵＳ  ４３０Ｂ−２  ＨＳ）を用いて、そのテーブル台に本出願人開発の円テーブルを搭載した。
マシニングセンタの主軸は、１８０００ｍｉｎ-1まで回転可能であり、テーブルサイズは、ｘ軸方向の長さ１１００ｍｍ、ｙ軸方向の長さ４３０ｍｍであり、主軸には、丸駒インサートを取り付けた。
円テーブルは、１０００ｍｉｎ-1まで回転可能なものを使用した。
【００５８】
〈加工動作〉
本実施例２における加工動作を、図４を用いて説明する。図４は本実施例２の加工動作を示した動作図であり、図４（ａ）はアップカットによる切削動作、図４（ｂ）はダウンカットによる切削動作を夫々示している。
【００５９】
まず、所定の切削回転位置ｓ７にワークｗと丸駒インサート２２を移動させた状態で、回転可能、且つ、移動不能に停止している丸駒インサート２２に対してワークｗを回転させながら、ｙ軸と平行に前側に移動させることで、ワーク外周から中心まで切削を行うようにした。
【００６０】
そして、アップカットをする場合は、図４（ａ）で示すように、丸駒インサート２２を軸線Ａ回りに矢印ａ１方向に回転させた。その状態でワークｗを軸線Ｂ回りに矢印ｂ１方向に回転させながらｙ軸と平行に前側に移動させた。
【００６１】
また、ダウンカットをする場合は、図４（ｂ）で示すように、丸駒インサート２２を軸線Ａ回りに矢印ａ２方向に回転させた。その状態でワークｗを軸線Ｂ回りに矢印ｂ１方向に回転させながらｙ軸と平行に前側に移動させた。
【００６２】
〈加工条件〉
本実施例２における加工条件を下記表１に示す。
【００６３】
【表１】
2019072809.tif 000003
【００６４】
表１で示すように、本加工条件は、インサート回転方向、ワーク材質、ワーク直径、インサート直径、ワーク１回転当たりの送り量、切り込み量、インサート回転数及び円テーブル回転数の８項目の中で、６項目は固定とし、アップカット（インサート回転方向）時の円テーブルの回転速度を３００、４００、５００及び６００ｍｉｎ-1に変えて、夫々のワーク端面を切削した。同様にダウンカット時の円テーブルの回転速度を４００及び６００ｍｉｎ-1に変えて、切削した。そして、各切削後のワーク直径に対して、１０、３０、５０、７０、９０ｍｍの箇所の表面粗さを夫々測定した。
また、加工の際の加工環境は切削油を使用しない乾式で行った。
【００６５】
〈表面粗さの測定結果〉
図５は、表面粗さとワーク直径との関係を示したグラフである。ここで表面粗さとは加工面のことをいい、表面粗さが小さい程、加工面は良好と表現している。
図５に示すように、ダウンカットよりもアップカットの方が良好な加工面が得られた。特にＮｏ．２、Ｎｏ．３は顕著にあらわれた。
【００６６】
図５より、良好な表面粗さを考察すると、図７で示すように、丸駒インサート２２をインサート外周がワークｗの既加工面から未加工面に向かう回転方向で一定速度で回転させたことで、切り屑が薄い部分Ａ部から切り屑が厚い部分Ｂ部にかけてインサートに徐々に抵抗が加わっていき、スムーズに切削できたものと考えられる。
【００６７】
また、加工後のワーク表面となる切り屑が薄い部分Ａ部では、まだ削り始めの為、切削による丸駒インサート２２の発熱温度が小さく、切り屑が厚くなる部分Ｂ部にいくにつれて丸駒インサート２２の発熱温度が大きくなることから、切削加工による発熱が切り屑によって持ち去られ易く、安定した加工を行うことができたと考えられる。
それに伴って、良好な加工面が得られるとともに、発熱による工具寿命への影響を小さくすることもできる。
【００６８】
また、一般的なワークが回転し、切削工具が送ることで切削する、旋盤加工方法では、ワークの中心付近での切削速度は、外周側に対して遅くなるが、本実施例２では、切削工具である丸駒インサートが回転するため、丸駒インサートの周速度がワーク回転による切削速度の不足分を補って切削するため、良好な加工面を得ることできる。
すなわち、直交３軸（丸駒インサートとワーク）の移動方向に応じて、アップカットとなるように前記丸駒インサートの回転方向を制御することで、良好な加工面を得ることができる。
【００６９】
また、マシニングセンタで良好な加工面を有するワークの端面切削も行えることより、高価な複合加工機や旋盤などを新たに増設する必要もなく、既存の機械で加工することができる。
【００７０】
さらに、ワークと丸駒インサートを回転させることで、周速度を考慮する必要がなくなり、それによる回転速度を切削中に変更する必要がない。
すなわち、夫々一定の回転速度で回転させることができ、それによるプログラムもシンプルにすることができる。
【００７１】
また、図２及び図３で示すようにワークの回転方向を丸駒インサートの切削端面に向けて回転するように制御している。これによって、工具（丸駒インサートとシャンク部）の軸方向に荷重を伝えるため、工具のたわみを小さくできる。また、正のすくい角で切削することができる。
【００７２】
以上、本発明を好適な実施形態により説明してきたが、こうした記述は限定事項ではなく、もちろん、種々の改変が可能である。上記実施形態では、図２と図３を用いて、直交３軸の組合せを説明したが、これに限らず、ワークがｘ軸方向に移動し、丸駒インサートがｙ及びｚ軸に移動しても良いし、ワークがｙ軸方向に移動し、丸駒インサートがｘ及びｚ軸に移動しても良いし、これに限るものではない。
【００７３】
また、本実施形態では、マシニングセンタを立形（工具主軸が垂直方向）で説明したが、これに限らず、横形または門形でも構わなく、横形マシニングセンタの場合は、円テーブルを横置き（回転軸がｚ軸と平行）にすれば尚良い。
【００７４】
また、本実施形態では、マシニングセンタの数値制御装置で直交３軸を制御し、円テーブルの制御装置で回転１軸を制御しているが、これに限らず、マシニングセンタの数値制御装置で円テーブルの回転１軸を制御しても構わない。
【００７５】
また、本実施例２では表１の加工条件で測定を行ったが、これに限らず、ワーク材質、ワーク直径によって適宜変更するものである。
【００７６】
また、図２及び図３を用いて、端面切削をワーク外周からワーク中心にする際にｙ軸と平行にワークを移動または丸駒インサートを移動させていたが、平行に限らず、ワーク径方向ならワーク中心に対してどの角度で移動させても良い。
【００７７】
また、加工環境は乾式に限らず、切削水を用いたウェット式でも良いし、乾式とウェット式の間のセミウェット式でも良い。
【００７８】
さらに、ワークは円柱に限らず、円筒、角柱でも良く、ワークの形状を限定するものではない。
【００７９】
また、円テーブルに搭載のサーボモータは、これに限らず、ＤＤモータなどでも良い。
【符号の説明】
【００８０】
１０    テーブル台
２０    工具主軸
２１    シャンク部
２２    丸駒インサート
３０    円テーブル
４０    数値制御装置
５０    制御装置
１００    マシニングセンタ
Ａ、Ｂ    軸線
ａ１、ａ２、ｂ１、ｂ２    回転方向
ｓ１〜ｓ７    切削開始位置
ｗ    ワーク
【図１】
2019072809.tif 000004
【図２】
2019072809.tif 000005
【図３】
2019072809.tif 000006
【図４】
2019072809.tif 000007
【図５】
2019072809.tif 000008
【図６】
2019072809.tif 000009
【図７】
2019072809.tif 000010